(57)【要約】【課題】  機体の乗降や、苗や肥料の補充作業を安全に行えると共に、作業中に作業者が楽な姿勢を取りやすく、作業者が長時間の作業に耐えられる苗移植機を提供する。【解決手段】  走行車体６の後部に、積載した苗を植え付ける苗植付部１０を昇降自在に設け、走行車体６の後部に圃場に肥料を供給する蓋部を備える施肥装置１３を設けた苗移植機において、施肥装置１３の左右外側端部に左右外側部を囲う側部補助手摺１６を設け、左右の側部補助手摺１６の前部上部間を連結する前側補助手摺１７を設け、側部補助手摺１６に対して、前側補助手摺１７を前後方向に移動可能、または上下方向に移動可能に構成すると共に、左右の側部補助手摺１６の後部上部間を連結する後側補助手摺１８を設けて構成する。【選択図】  図３
2015006155.tif 000002
【特許請求の範囲】
【請求項１】
走行車体（６）の後部に、積載した苗を植え付ける苗植付部（１０）を昇降自在に設け、該走行車体（６）の後部に圃場に肥料を供給する蓋部を備える施肥装置（１３）を設けた苗移植機において、
前記施肥装置（１３）の左右外側端部に左右外側部を囲う側部補助手摺（１６）を設け、該左右の側部補助手摺（１６）の前部上部間を連結する前側補助手摺（１７）を設けたことを特徴とする苗移植機。
【請求項２】
前記側部補助手摺（１６）に対して、前記前側補助手摺（１７）を前後方向に移動可能、または上下方向に移動可能に構成したことを特徴とする請求項１に記載の苗移植機。
【請求項３】
前記左右の側部補助手摺（１６）の後部上部間を連結する後側補助手摺（１８）を設けたことを特徴とする請求項１または２に記載の苗移植機。
【請求項４】
前記左右の側部補助手摺（１６）を連結する前側補助手摺（１７）と前記後側補助手摺（１８）との間に、前記施肥装置（１３）の肥料を貯留する施肥ホッパ（１１）の上方位置に左右方向に移動可能な移動台（１９）を設けた、または該施肥ホッパ（１１）上に臨む袋移込口（２０）を形成した移動台（１９）を設けたことを特徴とする請求項１から３の何れか１項に記載の苗植機の施肥装置。
【発明の詳細な説明】
【技術分野】
【０００１】
この発明は、苗移植機の植付付部に対する苗補給作業や、施肥装置に対する肥料補給作業を行い易くする苗移植機の施肥装置に関する。
【背景技術】
【０００２】
走行車体、及びこの車体の後部に装着の施肥装置の左右両側後部に、作業者乗降時に把持する乗降用の手摺（側部補助手摺）を設けると共に、この左右の乗降用の手摺間を後部手摺（後側補助手摺）で連結し、作業者の乗降や、苗補給作業や、肥料補給作業等の補助作業を安全に行うと共に、施肥装置のホッパ蓋を開放状態に支持し、又は肥料排出時の施肥装置を傾斜姿勢に支持する技術（例えば、特許文献１参照）が知られている。
【先行技術文献】
【特許文献】
【０００３】
【特許文献１】特開２００８−２７８７６５号公報
【発明の概要】
【発明が解決しようとする課題】
【０００４】
多条植付形態、及び施肥形態の苗移植機にあっては、運転席後側部のリヤフロア上面に施肥装置が構成配置されると、補助作業者がこのリヤフロア上面に搭乗し難く、特に後部の植付付部に対する苗補給作業を行い難い姿勢となり易い。
【課題を解決するための手段】
【０００５】
請求項１に記載の発明は、走行車体６の後部に、積載した苗を植え付ける植付付部１０を昇降自在に設け、該走行車体６の後部に圃場に肥料を供給する蓋部を備える施肥装置１３を設けた苗移植機において、前記施肥装置１３の左右外側端部に左右外側部を囲う側部補助手摺１６を設け、該左右の側部補助手摺１６の前部上部間を連結する前側補助手摺１７を設けたことを特徴とする苗移植機とする。
【０００６】
作業者が走行車体６に乗降するときは、通常時は走行車体６の側方から側部補助手摺１６を把持して乗降することにより、安全な姿勢を維持して乗降することができる。このとき、左右両側の側部補助手摺１６の前側把持部は、前側補助手摺１７によって連結されているので、剛性が高い構成となるので、いっそう安定した姿勢で作業者の乗降を行わせることができる。
【０００７】
また、作業者が走行車体６上に立ち、施肥装置１３に肥料を補給したり、植付付部１０に苗を補給する補助作業を行うときは、作業者が施肥装置１４の前側上部の前側補助手摺１７に、身体の一部正面を預ける姿勢、または前側補助手摺１７を把持した状態の支持姿勢で苗補給作業を行うことができる。
【０００８】
請求項２に記載の発明は、前記側部補助手摺１６に対して、前記前側補助手摺１７を前後方向に移動可能、または上下方向に移動可能に構成したことを特徴とする請求項１に記載の苗移植機とした。
【０００９】
前記前側補助手摺１７は、左右の側部補助手摺６との連結部を前後方向へ移動させて、補助作業を行い易い形態に設定することができる。例えば、施肥装置１３の蓋部の開閉に邪魔にならないように前側に位置させると、施肥装置１３への肥料供給が行い易くなると共に、施肥装置１３の蓋部が補充作業時以外に開くことを防止すべく施肥装置１３の直上部に位置させると、後傾姿勢のときでも身体を支持しやすくなるので、植付付部１０への苗の補充作業を行い易くすることができる。
【００１０】
また、前記前側補助手摺１７の高さを変更可能としたことにより、補助作業に適した位置に移動させることができる。そして、前側補助手摺１７を施肥装置１３の直上に接近させることによって、肥料の補充作業時以外に蓋部が開くことを防止することができると共に、前側補助手摺１７を下降させると、作業者が補助作業を行い易い形態になる。
【００１１】
請求項３に記載の発明は、記左右の側部補助手摺１６の後部上部間を連結する後側補助手摺１８を設けたことを特徴とする請求項１または２に記載の苗移植機とする。
前記左右の側部補助手摺１６を、前側の前側補助手摺１７と後側の後側補助手摺１８とによって連結し、平面視で略四角形状に連結構成することにより、側部補助手摺１６、前側補助手摺１７及び後側補助手摺１８が作業者の手で把持し得る程度の比較的径の細い、軽量な柱状部材から構成されるものでありながら、剛性を高く維持することができるので、作業者は安定した姿勢で補助作業を行うことができる。
【００１２】
また、前側補助手摺１７と後側補助手摺１８とによって作業者の作業姿勢の支持を行うことができ、特に苗補給作業時には後傾斜姿勢となる作業者が身体を預けることができ、作業姿勢が不安定になることが防止される。
【００１３】
請求項４に記載の発明は、前記左右の側部補助手摺１６を連結する前側補助手摺１７と前記後側補助手摺１８との間に、前記施肥装置１３の肥料を貯留する施肥ホッパ１１の上方位置に左右方向に移動可能な移動台１９を設けた、または該施肥ホッパ１１上に臨む袋移込口２０を形成した移動台１９を設けたことを特徴とする請求項１から３の何れか１項に記載の植付機の施肥装置とする。
【００１４】
前記前側補助手摺１７と後側補助手摺１８との間に儲ける移動台１９に肥料袋を載せて、左右方向へ移動させ、この肥料袋内の肥料を下側の施肥ホッパ１１内へ移し込む。このとき、移動台１９を袋移込口２０を形成した漏斗形状とすると、肥料袋から移し出された肥料が移動台１９の上面に案内されるので、袋移込口２０から肥料を施肥ホッパ１１内に、こぼすことなく確実に供給することができる。
【発明の効果】
【００１５】
請求項１に記載の発明は、左右両側に側部補助手摺１６を設けたことにより、作業者は走行車体６を乗降する際にこの側部補助手摺１６を掴むことができるので、走行車体６の乗降が容易になる。
【００１６】
また、左右の補助手摺１６が施肥装置１３の左右両側の防護体となるので、施肥装置１３が障害物に接触して破損することが防止される。
そして、前側補助手摺１７を設けたことにより、走行車体６上に立って作業する補助作業者は、前側補助手摺１７を持って作業をすることができるので、安定した姿勢で作業ができ、作業能率や作業の安全性が向上する。
【００１７】
さらに、前側補助手摺１７が施肥装置１３の前側上方位置に設けられることにより、補助作業者が施肥装置１３に座ることを防止できるので、施肥装置１３の破損が防止されると共に、補助作業者は前側補助手摺１７に腰掛ける、あるいは身体を預けることができるので、補助作業者の労力が軽減される。
【００１８】
また、側部補助手摺１６及び前側補助手摺１７を、比較的細く軽量な柱状部材でありながら剛性を高く構成することができるので、破損しにくく、またコストダウンを図ることができる。
【００１９】
請求項２に記載の発明は、請求項１に記載の発明の効果に加えて、前側補助手摺１７を機体前後方向にスライド自在に構成したことにより、走行車体６が移動するときには施肥装置の上方位置に前側補助手摺１７を移動させることができるので、補助作業者が前側補助手摺１７を持つ、または前側補助手摺１７に座ることができ、作業能率や作業の安全性が向上する。
【００２０】
また、前側補助手摺１７が施肥装置１３の上方に位置することにより、作業時の振動で施肥装置１３の蓋部が開くことが防止され、肥料が施肥装置１３からこぼれることを防止できるので、肥料の余分な消費量が抑えられる。
【００２１】
そして、施肥装置１３に肥料を補充する時には、前側補助手摺１７を機体前側に移動させることにより、施肥装置１３の蓋部の開閉を前側補助手摺１７が妨げることが防止され、作業能率が向上する。
【００２２】
請求項３に記載の発明は、請求項１または２に記載の発明の効果に加えて、左右の側部補助手摺１６を前側補助手摺１７と後側補助手摺１８とで連結することにより、施肥装置１３を前後左右の四方を包囲することができるので、作業者が乗降する時に側部補助手摺１６を把持しやすくなると共に、施肥装置１３に肥料を補充する時や、植付付部１０に苗を補充する際に前側補助手摺１７及び後側補助手摺１８を把持しやすくなるので、安定した姿勢で能率よく作業を行うことができる。
【００２３】
請求項４に記載の発明は、請求項１から３の何れか１項に記載の発明の効果に加えて、前側補助手摺１７と後側補助手摺１８との間に肥料袋の移動台１９を設けたことにより、肥料袋を補助作業者の移動を妨げない位置に置いておくことができるので、肥料袋の補充のために圃場端まで移動する回数が減少し、作業能率が向上する。
【００２４】
また、移動台１９から施肥装置１３に肥料を落下させる落下孔部を形成したことにより、施肥装置１２に肥料を補充する際に肥料袋を移動させる必要がなく、作業者の労力が軽減される。
【００２５】
そして、移動台１９を機体左右方向に移動自在に構成したことにより、施肥装置１３の左右方向に亘って均一に肥料を投入することができるので、補助作業者が投入された肥料を均す必要がなく、作業能率が向上すると共に、作業者の労力が軽減される。
【図面の簡単な説明】
【００２６】
【図１】苗移植機の側面図
【図２】苗移植機の平面図
【図３】苗移植機の補助手摺部の側面図
【図４】苗移植機の補助手摺部の平面図
【図５】苗移植機の補助手摺部の一部別実施例を示す側面図
【図６】苗移植機の補助手摺部の平面図
【図７】（ａ）施肥ホッパの蓋部を開いた状態を示す側面図、（ｂ）施肥ホッパの蓋部を閉じた状態を示す側面図
【発明を実施するための形態】
【００２７】
図例に基づいて、走行車体６の後部に施肥装置１３を搭載し、平行リンク形態のリフトリンク２２を介して植付付部１３を昇降可能にして連結する。この車体６は、中央部の運転席１の下側にエンジン４を搭載し、このエンジン４によって連動駆動される前輪３と後輪５を配置した四輪駆動走行可能のトラクタ形態としている。
【００２８】
走行車体６の上側には、運転席１の前側のセンタフロア２３、左右両側部にサイドフロア１４、及び、運転席１の後側部のリヤフロア１５等を形成し、該センタフロア２３の前側部にダッシュボード２４、及びハンドル２を設けて、該ハンドル２により前輪３を操向操作する。
【００２９】
前記エンジン４の前方には、油圧無段変速装置（ＨＳＴ）２５、及びミッションケース２６を配置して、該油圧無段変速装置２５から主変速伝動することにより、走行することができる。
【００３０】
該ミッションケース２６の左右両側部には、フロントアクスルハウジング２７が構成されて、該フロントアクスルハウジング２７を経由して前輪３が伝動回転されると共に、該前輪３はハンドル２によって操舵される。前記ミッションケース２６の後方には、後輪５を連動する後輪連動軸（ＰＴＯ軸）が取出可能に設けられ、該ＰＴＯ軸の駆動力によって植付付部１０及び施肥装置１３を作動させる構成としている。
【００３１】
前記サイドフロア１４は、ダッシュボード２４の前端部から運転席１の横側後端部に亘る長さとし、且つできるだけ広く形成する。これにより、苗補給や、肥料補給の作業時には、作業者が前後に移動し易く構成している。
【００３２】
また、前記サイドフロア１４の前部外側部等には補助苗載棚枠（図面省略）を配置して、多量のマット苗を積載して運搬し、補給しながら、長行程の植付作業を継続可能に構成している。
【００３３】
前記植付付部１０を昇降するリフトリンク２２は、走行車体６に対して油圧力で伸縮されるリフトシリンダ２８によって昇降される。該リフトリンク２２の後端のヒッチリンク２９にローリング軸３０を介してローリング自在に連結される植付フレーム３１を主体として、下側部にはセンタフロートや、サイドフロート等の各フロート７が配置され、上部には後下り傾斜の苗タンク８が、左右往復移動するように支持案内され、この苗タンク８の後下端部の苗取口３２に作用して、苗を分離保持して土壌面へ植付ける植付装置９を配置している。
【００３４】
図例では、これらフロート７による土壌均平条、苗タンク８のマット苗収容条、及び植付装置９の植付条等の条数を六条植形態として設定している。
前記サイドフロア１４の前端部には、乗降用のフロントステップ３３を設け、前輪３と後輪５との間のサイドフロア１４横側部にはサイドステップ３４を配置して、作業者の乗降し易い形態としている。これらサイドフロア１４の後端部は運転席１の横側後端部に位置して、後側に上方傾斜のフェンダ３５部を形成して、この後側高位置に、運転席１の後側部を左右横方向に亘るリヤフロア１５を形成し、走行車体６に対してリヤフレーム３６で支持構成している。
【００３５】
前記サイドフロア１４は後側に連結する植付付部１０の横幅よりも広く形成する形態で、左右外側部にサブフロア１４Ａを着脱可能に設けて、連結する植付部１０の植付条数幅に対応することができる。
【００３６】
このサイドフロア１４の後側に配置するリヤフロア１５の横幅を、これらサイドフロア１４のサブフロア１４Ａ部幅と略同幅に設定し、このリヤフロア１５の上側に施肥装置１１を支持装着している。
【００３７】
前記施肥装置１３は、肥料を収容する施肥ホッパ１１と、該施肥ホッパ１１の肥料を繰出ロールの回転によって一定量毎繰出す繰出装置１２と、該繰出装置１２によって繰出された肥料をエア搬送する送風ファン３７や、送風筒３８、及びこの送風筒３８から各植付条位置の土壌面へ施肥案内する施肥ホース３９等から構成されて、施肥ホッパ１１から繰出す肥料を植付付部１０のフロート７で整地する施肥溝部土壌面に施肥する。
【００３８】
前記繰出装置１２は、各施肥条毎に対向して横方向に配置されるが、最上部の施肥ホッパ１１は全施肥条幅に亘って幅広く一体構成、乃至単一形態として形成され、容量を有効的に大きく維持する形態としている。
【００３９】
また、前記施肥ホッパ１１の内底部には、各繰出ロール部にのぞむ供給口が漏斗条形態にして配置されて、上側のホッパ口部には、後端のヒンジ４０周りに回動して開閉可能のホッパ蓋２１を設け、このホッパ蓋４１を開くことによって、ホッパ口上部から粉粒体肥料を供給することができる。
【００４０】
前記リヤフロア１５上に構成する丸チューブ材を主体として形成される補助手摺（手摺）は、前記施肥装置１３の左右両側部に側部補助手摺１６を位置させて、前側部には前側補助手摺１７を位置させて、後側部には後側補助手摺１８を位置させて、平面視で略四周部を方形状に囲う形態に構成している。
【００４１】
前記リヤフロア１５の左右両側端縁部上には、側面視略門形状の側部補助手摺１６を、前記施肥ホッパ１１の高さ程度にして設定して、この側部補助手摺１６の下端部をリヤフロア１５支持の車体６上のフロアフレーム部に連結する。
【００４２】
該左右側部補助手摺１６の後端上部間に亘って横方向水平状の後側補助手摺１８を連結して、背面視で略門形状形態に形成し、この後側補助手摺１８の高さを施肥ホッパ１１の蓋２１の位置よりも高く形成して、この開かれたホッパ蓋２１の開放姿勢を支持することができる形態に構成している。
【００４３】
前記側部補助手摺１６の上辺部は略前後方向直線状に形成されて、この左右の上辺部間に亘って正面視略門形状の前側補助手摺１７が支持連結される。この前側補助手摺１７の連結部には、前記側部補助手摺１６の上辺部に前後方向スライド穴４７を嵌合して、前後方向移動可能のスライドソケット４２を有し、このスライドソケット４２をボルト締め等によって側部補助手摺１６に締付けて固定することができる。この前側補助手摺１７は施肥ホッパ１１よりも高く構成している。
【００４４】
前記前側補助手摺１７は、主として図３、図４のように、この側部補助手摺１６に対して取付位置を前後方向Ａへ移動可能に、又は、上下方向Ｂへ移動可能に構成して、作業条件に適応した位置、形態に設定することができる。側部補助手摺１６に沿って前後摺動自在に嵌合させたスライドソケット４２には、前記前後方向スライド穴４７と直交する上下方向スライド穴４８が形成されていて、この上下方向スライド穴４８に前側補助手摺１７の左右両側端部４４を差込んで、このスライドソケット４２と前側補助手摺１７との間に亘って形成されるピン穴にボルト４３を差込んで、スライドソケット４２、及び前側補助手摺１７の位置Ａ、Ｂを固定することができる。
【００４５】
また、これらスライドソケット４２の側部補助手摺１６に対する前後方向Ａ位置を決めるボルト４３と、このスライドソケット４２に対して前側補助手摺１７を上下方向Ｂへ移動設定させるボルト４３を各別構成、操作形態に構成している。又、前記後側補助手摺１８は、左右両端部に形成の差込部４５を形成して、この差込部４５を側部補助手摺１６後端上部の連結部４６に差込嵌合させて、支持構成することができる。
【００４６】
ここにおいて、運転席１のステアリングハンドル２によって操舵される前輪３、及びエンジン４によって駆動される後輪５を配置した四輪走行形態の走行車体６の後側に、土壌面を滑走均平するフロート７や、マット苗を載せて繰出す苗タンク８、及びこの苗タンク８から繰出される苗を分離挿植する植付装置９等からなる植付付部１０を装着すると共に、施肥ホッパ１１や、この施肥ホッパ１１の肥料を繰出す繰出装置１２等からなり前記植付装置９によって植付される土壌面に施肥する施肥装置１３を配置した苗移植機において、
前記運転席１の外側部のサイドフロア１４後端部に形成のリヤフロア１５の上方に前記施肥装置１３を配置し、このリヤフロア１５の左右外側端縁部上位置に沿って、前記施肥装置１３の左右外側部を囲う側部補助手摺１６を設け、前記左右両側部の側部補助手摺１６の前部上部間に亘って連結する前側補助手摺１７を設けたことを特徴とする苗移植機の施肥装置の構成とする。
【００４７】
苗移植機運転者が走行車体６に乗降するときは、通常時は運転席１横側のサイドフロア１４の横外側部のサイドステップから、側部補助手摺１６部を把持して、この安全な姿勢を維持して乗降することができる。このとき、左右両側の側部補助手摺１６の前側把持部は、前側補助手摺１７によって直接連結されているため、リヤフロア１５上方に高く形成された形態にあっても剛性を高く形成されて、安定した作業者乗降を行わせることができる。
【００４８】
また、作業者がリヤフロア１５上面に立って、施肥ホッパ１１へ肥料を補給したり、植付付部１０の苗タンク８へ苗を補給する補助作業を行うときは、作業者が、施肥ホッパ１１の前側上部の前側補助手摺１７に、身体の一部正面を預ける姿勢、または前側補助手摺１７を把持した状態の支持姿勢で、苗補給作業を行うことができる。
【００４９】
そして、前記側部補助手摺１６に対して、前側補助手摺１７を、前後方向Ａへ移動可能に、又は上下方向Ｂへ移動可能に設ける。
前記前側補助手摺１７は、左右両端部を、側部補助手摺１６に対する連結部を前後方向へ移動させて、補助作業を行い易い形態に設定する。例えば、施肥ホッパ１１の蓋の開閉に邪魔にならないように前側に位置させて、この施肥ホッパ１１への肥料供給を行い易くしたり、この施肥ホッパ１１のホッパ蓋２１の開きを係止するように施肥ホッパ１１の直上部に位置させて、後傾姿勢の身体支持を容易化して、植付付部１０への植付作業を行い易くする。
【００５０】
また、前記前側補助手摺１７の高さを変更調節して、補助作業に適当する位置に移動することができる。又、この前側補助手摺１７を施肥ホッパ１１の直上部に接近させることによって、ホッパ蓋２１の開きを係止したり、この前側補助手摺１７上に作業姿勢を支持させるときは、この前側補助手摺１７を下降させて、目的位置に移動調節して、補助作業を行い易い形態に設定する。
【００５１】
更に、前記左右両側部の側部補助手摺１６の後部上部間に亘って連結する後側補助手摺１８を設ける。
前記左右両側部の側部補助手摺１６間が、前側の前側補助手摺１７と後側の後側補助手摺１８とによって、平面視略方形状形態に連結構成されるため、これらリヤフロア１５の上方位置に構成されるガードフレーム構体が、サイド、フロント、後側補助手摺１６、１７、１８の手で把持し得る程度の比較的細い径のチューブ部材等から構成される軽量形態でありながら、剛性を高く維持して、安定した作業者の補助作業姿勢を維持させることができる。
【００５２】
そして、前側補助手摺１７と後側補助手摺１８とによって、作業者の作業姿勢支持を行わせることができ、特に苗補給作業時には後傾斜姿勢の作業者姿勢を預けたり、支持し易く、安全な作業姿勢とすることができる。
【００５３】
次に、主として図５、図６において、前記前側補助手摺１７と、後側補助手摺１８とによって、左右移動可能の移動台１９を支持可能に構成する。前後両補助手摺１７、１８は、前記スライドソケット４２、又は差込部４５に対して上昇移動させて、この移動台１９の高さがホッパ蓋２１の開き姿勢となる状態に高く設定して、これら前後の各補助手摺１７、１８間の上部に移動台１９を左右移動Ｃ可能に支持させる。
【００５４】
該移動台１９の中央底部には袋移込口２０を漏斗形態に形成し、肥料袋５０から排出される肥料を受けて、下側に位置する施肥ホッパ１１内へ供給を正確に維持させる。この移動台１９の下側には回転自在のスライドロール５１を配置して、前側補助手摺１７、及び後側補助手摺１８に支持させている。
【００５５】
ここにおいて、前記左右両側部の側部補助手摺１６間に亘って連結する前側補助手摺１７と、後側補助手摺１８との間に、前記施肥ホッパ１１の上方位置を左右横方向Ｃへ移動可能の移動台１９を支架し、又は、前記施肥ホッパ１１上にのぞむ袋移込口２０を形成した移動台１９を支架する。
【００５６】
前記前側補助手摺１７と後側補助手摺１８との間に支架する移動台１９に肥料袋を載せて、左右方向へ移動させながら、この肥料袋内の肥料を下側の施肥ホッパ１１内へ移し込む。
【００５７】
このとき、移動台１９が袋移込口２０を形成した漏斗形態である場合は、肥料袋から移し出された肥料が、この移動台１９の上面に案内されて、袋移込口２０から施肥ホッパ１１内へ供給案内される。
【００５８】
次に、主として図７（ａ）（ｂ）に基づいて、前記ホッパ蓋２１の内側に突出する突起５２を形成して、この突起５２を開蓋２１時（図７（ａ））から閉蓋２１時（図７（ｂ））にホッパ１１内の収容肥料５３内に差し込まれ、肥料を押し退けたり持ち上げたりして撹拌することによって、肥料５３が施肥ホッパ１１内に張り付いて塊となり一定の位置から移動しなくなるブリッジ現象の発生が防止されるので、供給口５３から設定量の肥料が正確に繰り出され、肥料の供給量が安定する。
【符号の説明】
【００５９】
１  運転席
２  ハンドル
３  前輪
４  エンジン
５  後輪
６  車体
７  フロート
８  苗タンク
９  植付装置
１０  植付付部
１１  施肥ホッパ
１２  繰出装置
１３  施肥装置
１４  サイドフロア
１５  リヤフロア
１６  側部補助手摺
１７  前側補助手摺
１８  後側補助手摺
１９  移動台
２０  袋移込口
２１  ホッパ蓋
【図１】
2015006155.tif 000003
【図２】
2015006155.tif 000004
【図３】
2015006155.tif 000005
【図４】
2015006155.tif 000006
【図５】
2015006155.tif 000007
【図６】
2015006155.tif 000008
【図７】
2015006155.tif 000009